(57)【要約】【課題】左右の肘掛けを両方とも、あるいは左右いずれかを、便器本体に着脱自在に取り付けることができる肘掛け式便器を提供する。【解決手段】略水平位置から上方に回動する肘掛け３を左右に備えた便器であって、便器本体５の両側縁部５１に回転軸部１が設けられるとともに、この回転軸部１にアーム２が着脱自在に取り付けられ、該アーム２の他端には使用姿勢で略水平となるように肘掛け３を載設した肘掛け式便器Ａ。上記回転軸部１が便器側縁部５１に固定されたフランジ１１と予めこのフランジ１１に回動自在に軸支された円筒体１２とからなり、該円筒体１２の円周面に設けられた嵌入孔部１２１に上記アーム２が着脱自在に取り付けられる。【選択図】図１
2006263256.tif 000002
【特許請求の範囲】
【請求項１】
略水平位置から上方に回動する肘掛けを左右に備えた便器であって、便器本体の両側縁部に回転軸部が設けられるとともに、この回転軸部にアームが着脱自在に取り付けられ、該アームの他端には使用姿勢で略水平となるように肘掛けを載設した肘掛け式便器。
【請求項２】
上記回転軸部が便器側縁部に固定されたフランジと予めこのフランジに回動自在に軸支された円筒体とからなり、該円筒体の円周面に上記アームを着脱自在に取り付ける嵌入孔部が設けられた請求項１に記載の肘掛け式便器。
【請求項３】
上記アームの端部にタップ孔を螺刻するとともに、アーム端部を上記嵌入孔部に嵌入し、上記円周面に別途設けられたネジ孔を通して固定用ビスを上記タップ孔に螺入し、上記アームを円筒体に固定した請求項１に記載の肘掛け式便器。
【発明の詳細な説明】
【技術分野】
【０００１】
本発明は、洋式便器に関する。さらに詳しくは、高齢者や身体の不自由な使用者が立ち居し易いように肘掛けを備えた肘掛け式便器に関する。
【背景技術】
【０００２】
従来、上記肘掛け式便器に関しては種々の技術が公知であり、例えば下記特許文献をあげることができる。
【特許文献１】特開２０００−１５７４５６号公報（第１〜４頁、第１４図、第１８図、第２７図）
【発明の開示】
【発明が解決しようとする課題】
【０００３】
上記特許文献１には、本願図５に示すように、アーム部７に肘掛け３を回動自在に取り付け、便器を使用しないときは邪魔とならないようにアーム部７を上方に回動できるようにした肘掛け式便器Ｂが開示されている。すなわち、本願図５に示されているように、便器本体５の対向する両側縁部５１にフランジ６を設け、このフランジ６にアーム部７と一体的に構成された回動筒部８が回動自在に取り付けられている。
【０００４】
しかしながら、上記技術においては、肘掛け３が不要となったときや、トイレのスペースの関係から肘掛け３を左右のどちらかにしなければならない場合は、簡単に取り外すことができないという問題がある。本発明はこのような問題を解決して、左右の肘掛けを両方とも、あるいは左右いずれかを、便器本体に着脱自在に取り付けることができる肘掛け式便器を提供することを、その課題とする。
【課題を解決するための手段】
【０００５】
上記課題を解決するために、本発明においては、つぎのような技術的手段を講じている。すなわち、本発明によれば、略水平位置から上方に回動する肘掛けを左右に備えた便器であって、便器本体の両側縁部に回転軸部が設けられるとともに、この回転軸部にアームが着脱自在に取り付けられ、該アームの他端には使用姿勢で略水平となるように肘掛けを載設した肘掛け式便器が提供される。
【０００６】
上記回転軸部が便器側縁部に固定されたフランジと予めこのフランジに回動自在に軸支された円筒体とからなり、該円筒体の円周面に上記アームが着脱自在に取り付けられる嵌入孔部が設けられることが好ましい。
【０００７】
上記アームの端部にタップ孔を螺刻するとともに、アーム端部を上記嵌入孔部に嵌入し、上記円周面に別途設けられたネジ孔を通して固定用ビスを上記タップ孔に螺入し、上記アームを円筒体に固定することが好ましい。
【発明の効果】
【０００８】
請求項１に記載の発明は上記のとおりであり、便器本体の両側縁部に回転軸部が設けられるとともに、この回転軸部にアームが着脱自在に取り付けられ、該アームの他端には使用姿勢で略水平となるように肘掛けが載設されているため、高齢者や身体の不自由な使用者が、この肘掛けを使って立ち居し、楽にトイレを使用することができる。また、アームと肘掛けを嵩張ることなく別梱包にすることが可能となり、運送コストを引き下げることができる。
【０００９】
上記回転軸部が便器に固定されたフランジと予めこのフランジに回動自在に軸支された円筒体とからなるため、工場でフランジに円筒体を組み付けて出荷し、現場で作業性よくアームを取り付けることができる。また、該円筒体の円周面に設けられた嵌入孔部に上記アームが着脱自在に取り付けられるため、左右の肘掛けが不要となったときや、左右どちらかの肘掛けのみを必要とする場合等トイレの使用される状況に適切に合わせて着脱することができる。
【００１０】
上記円筒体の円周面に穿設された嵌入孔部にタップ孔を螺刻したアームの端部を嵌入し、上記円周面に別途設けられたネジ孔を通してアーム固定用ビスを上記タップ孔に螺入して上記アームを円筒体にネジ固定するため、上記アーム固定用ビスを緊緩することにより左右の肘掛けとアームとを共に任意に着脱することができる。
【発明を実施するための最良の形態】
【００１１】
以下、本発明の実施形態について図面を参照して、詳細に説明する。図１（ａ）は、本発明にかかる肘掛け式便器の回転軸部１を示す概略斜視図であり、図１（ｂ）は上記回転軸部１に着脱自在に取り付けられるアーム２とアーム２に載設される肘掛け３を示す斜視図である。図１（ａ）に示されているように、上記回転軸部１は便器本体５の側縁部５１に固定されたフランジ１１とフランジ１１に回動自在に軸支された円筒体１２とからなり、円筒体１２の円周面には図１（ｂ）に示すアーム２が嵌入する嵌入孔部１２１を穿設されている。
【００１２】
図２（ａ）は上記回転軸部１の詳細を示す部分斜視図であり、上記嵌入孔部１２１の近傍にはネジ孔１２２が設けられており、上記嵌入孔部１２１に嵌入されたアーム２の端部をネジ孔１２２に挿通されたアーム固定用ビス４で固定する。また、符号１１１は、フランジ１１を上記側縁部５１に固定するためのフランジ固定用ビス孔を示す。図２（ｂ）はアーム２を示す部分斜視図であり、その端部にはタップ孔２１が螺刻され、このタップ孔２１に円筒体１２の円周面に穿たれた上記ネジ孔１２２を挿通したアーム固定用ビス４が螺入し、アーム2を円筒体１２に固定する。
【００１３】
図３は、上記嵌入孔部１２１に嵌入したアーム２のタップ孔２１に固定用ビス４を上記ネジ孔１２２を通して螺入する状態を示す説明図である。アーム固定用ビス４を締め付けることによりアーム２は円筒体１２にしっかりと固定され、肘掛け３を回動自在に便器本体５に取り付けることができる。図４は、上記のように構成された肘掛け式便器Ａを示す斜視図である。図４においては、左右の肘掛け３が取り付けられた形態を示しているが、本発明においては、左右の肘掛け３が不要となったときや、左右どちらかの肘掛けのみを必要とする場合は、上記アーム固定用ビス４を緊緩して肘掛け３をアーム２と共に、便器の使用される状況に合わせて任意に着脱することができる。
【図面の簡単な説明】
【００１４】
【図１】（ａ）本発明にかかる肘掛け式便器の回転軸部を示す概略斜視図である。
【００１５】
（ｂ）本発明にかかる肘掛け式便器のアームと肘掛けを示す斜視図である。
【図２】（ａ）図１（ａ）に示した回転軸部の詳細を示す部分斜視図である。
【００１６】
（ｂ）図１（ｂ）に示したアームを示す部分斜視図である。
【図３】固定用ビスを螺入してアームを円筒体に固定する状態を示す説明図である。
【図４】本発明にかかる肘掛け式便器を示す斜視図である。
【図５】公知の肘掛け式便器を示す斜視図である。
【符号の説明】
【００１７】
Ａ          本発明にかかる肘掛け式便器
Ｂ          公知の肘掛け式便器
１          回転軸部
１１        フランジ
１１１      フランジ固定用ビス孔
１２        円筒体
１２１      嵌入孔部
１２２      ネジ孔
２          アーム
２１        タップ孔
３          肘掛け
４          アーム固定用ビス
５          便器本体
５１        側縁部
６          公知の肘掛け式便器におけるフランジ
７          公知の肘掛け式便器におけるアーム部
８          公知の肘掛け式便器における回動筒部
【図１】
2006263256.tif 000003
【図２】
2006263256.tif 000004
【図３】
2006263256.tif 000005
【図４】
2006263256.tif 000006
【図５】
2006263256.tif 000007